(57)【要約】【課題】操作が便利で、一人で防護さくの開放動作を独立できる床側防護さくの回転軸構造を提供すること。【解決手段】対向する継ぎ空間が設けられている二つのケースと、ばねと、一側面に二つの位置決め柱が突設されている歯車と、ボタンとを含み、一方のケースの継ぎ空間内に歯車の二つの位置決め柱を置くための二つの位置決め溝が設けられるとともに、該二つの位置決め溝の裏側にボタンを置くためのボタン溝が別に設けられ、該ばね及び歯車が二つのケースの対向する継ぎ空間内に置いた後に、さらに二つのケースを継ぎ合わせることによって、ボタンを押すことで歯車の位置決め柱をケースの位置決め溝から離脱させ、他一方のケースが回転し角度が変更できるように構成する。【選択図】図２
0003123415.tif 000002
【実用新案登録請求の範囲】
【請求項１】
対向する継ぎ空間が設けられている二つのケースと、ばねと、一側面に二つの位置決め柱が突設されている歯車と、ボタンとを含み、
一方のケースの継ぎ空間内に歯車の二つの位置決め柱を置くための二つの位置決め溝が設けられるとともに、該二つの位置決め溝の裏側にボタンを置くためのボタン溝が別に設けられ、
該ばね及び歯車が二つのケースの対向する継ぎ空間内に置いた後に、さらに二つのケースを継ぎ合わせることによって、ボタンを押すことで歯車の位置決め柱をケースの位置決め溝から離脱させ、他一方のケースが回転して角度が変更できるようになることを特徴とする、
床側防護さくの回転軸構造。
【請求項２】
前記二つのケースの対向継ぎ空間の中心位置に、結合部材を貫通するための互いに継ぎ合わせる結合柱及び突柱が突設されていることを特徴とする、請求項１に記載の床側防護さくの回転軸構造。
【請求項３】
前記歯車の中心には、ケースの突柱に合わせる中心孔を設け、且つ、該歯車の周縁が鋸歯状に設けていることを特徴とする、請求項２に記載の床側防護さくの回転軸構造。
【請求項４】
前記ケースの継ぎ空間の周縁は、歯車に合わせる鋸歯状に設けていることを特徴とする、請求項２に記載の床側防護さくの回転軸構造。
【請求項５】
前記他一方のケースのボタン溝の底部が、二つの位置決め溝の所在位置にずれて対向する二つの円弧形状の開口を設けていることを特徴とする、請求項１に記載の床側防護さくの回転軸構造。
【請求項６】
前記ボタンは、天井面を有する中空円筒のように設けられ、該筒体の対向する両側に凹溝がそれぞれ設けられ、残りの対向する二つの筒体片の底部外側にフランジが夫々設けられることを特徴とする、請求項１に記載の床側防護さくの回転軸構造。
【考案の詳細な説明】
【技術分野】
【０００１】
本考案は、操作便利な床側防護さくの回転軸構造に係り、ベビーベッドや介護ベッド又は類似構造に適合可能な床側防護さくの回転軸構造に関するものである。
【背景技術】
【０００２】
ベビーや子供又は体の調子悪く、病気になった人を防護するため、通常、ベビーベッドや介護ベッドのサイドに転落を防止するための防護さくが設けられる。該防護さくが脇立ち又は折畳みをし易いため、防護さくの両端にヒンジ装置がそれぞれ設けられ、二つのヒンジ装置の同時開放により、防護さくが脇立ち（起立）、又は折畳みできるようになる。
【考案の開示】
【考案が解決しようとする課題】
【０００３】
従来の防護さくのヒンジ装置、例えば、本創作者が提出した台湾実用新案第Ｍ２４０９１９号「床側防護さくの改良構造」は、上記のヒンジ装置が、スライダ挿着部材、支持台座、弾性部材及び当接部材を含み、該当接部材の一端が弾性部材に接続し、他の一端がスライダ挿着部材に接続し、該支持台座上にスライダ挿着部材を挿着するためのＵ形溝が設けられることによって、スライダ挿着部材内部に接続した当接部材及び弾性部材を介して、支持台座内にスライダ挿着部材を可動可能に挿着して、防護さくの回転を達成するものである。
【０００４】
しかし、前記した防護さくのヒンジ装置にあっては、比較的に短いベビーベッドに使用されるときに、一人で防護さく両端のヒンジ装置を尚同時に操作できるが、比較的に長い介護ベッドに使用されると、防護さく両端のヒンジ装置の間隔が一人の両手の長さを越えるため、二人で合わせて両端のヒンジ装置を操作すれば、防護さくを床側に立ち又は折畳みできるが、一人では操作できず、看護が一人の場合に非常に不便であるといった欠点がある。
【０００５】
本考案は以上の点に鑑み、操作が便利で、一人で防護さくの開放動作を独立できる床側防護さくの回転軸構造を提供するものである。
【０００６】
本考案の主な目的は、操作便利、一人で開放動作を独立に完成できる床側防護さくの回転軸構造を提供することにある。
【課題を解決するための手段】
【０００７】
前記目的を達成するために、本考案は、対向する継ぎ空間が設けられている二つのケースと、ばねと、一側面に二つの位置決め柱が突設されている歯車と、ボタンとを含み、一方のケースの継ぎ空間内に歯車の二つの位置決め柱を置くための二つの位置決め溝が設けられるとともに、該二つの位置決め溝の裏側にボタンを置くためのボタン溝が別に設けられ、該ばね及び歯車が二つのケースの対向する継ぎ空間内に置いた後に、さらに二つのケースを継ぎ合わせることによって、ボタンを押すことで歯車の位置決め柱をケースの位置決め溝から離脱させ、他一方のケースが回転し角度が変更できるようになる。
すなわち、本願の第１考案は、対向する継ぎ空間が設けられている二つのケースと、ばねと、一側面に二つの位置決め柱が突設されている歯車と、ボタンとを含み、一方のケースの継ぎ空間内に歯車の二つの位置決め柱を置くための二つの位置決め溝が設けられるとともに、該二つの位置決め溝の裏側にボタンを置くためのボタン溝が別に設けられ、該ばね及び歯車が二つのケースの対向する継ぎ空間内に置いた後に、さらに二つのケースを継ぎ合わせることによって、ボタンを押すことで歯車の位置決め柱をケースの位置決め溝から離脱させ、他一方のケースが回転して角度が変更できるようになることを特徴とする、床側防護さくの回転軸構造を提供する。
本願の第２考案は、前記二つのケースの対向継ぎ空間の中心位置に、結合部材を貫通するための互いに継ぎ合わせる結合柱及び突柱が突設されていることを特徴とする、前記第１考案に記載の床側防護さくの回転軸構造を提供する。
本願の第３考案は、前記歯車の中心には、ケースの突柱に合わせる中心孔を設け、且つ、該歯車の周縁が鋸歯状に設けていることを特徴とする、前記第２考案に記載の床側防護さくの回転軸構造を提供する。
本願の第４考案は、前記ケースの継ぎ空間の周縁は、歯車に合わせる鋸歯状に設けていることを特徴とする、前記第２考案に記載の床側防護さくの回転軸構造を提供する。
本願の第５考案は、前記他一方のケースのボタン溝の底部が、二つの位置決め溝の所在位置にずれて対向する二つの円弧形状の開口を設けていることを特徴とする、前記第１考案に記載の床側防護さくの回転軸構造を提供する。
本願の第６考案は、前記ボタンは、天井面を有する中空円筒のように設けられ、該筒体の対向する両側に凹溝がそれぞれ設けられ、残りの対向する二つの筒体片の底部外側にフランジが夫々設けられることを特徴とする、前記第１考案に記載の床側防護さくの回転軸構造を提供する。
【考案の効果】
【０００８】
本考案は以下のような実用利点がある。
１．該回転軸構造が、短いベビーベッド或いは長い介護ベッドのどちらに適応しても、ともに操作便利、確実保護の効果を達成できる。
２．本考案の回転軸構造を用いる防護さくは、その二回転軸構造のボタンが、同期に押す必要はなく、先に一方側を押し、さらに他一側までに回って押すことができるため、使用者が使用し安くなる。
【考案を実施するための最良の形態】
【０００９】
本考案の他の特徴及び具体的な実施例は、後続の詳しく説明及び図示よりさらに了解できる。
図１〜図３を参照する。本考案の回転軸構造は、二つのケース１０、１１と、ばね１２と、歯車１３と、ボタン１４とを含む。該二つのケース１０、１１の一端側に互いに継ぎ合える空間が設けられ、該二つのケース１０、１１の他一端側にもう一つのパイプに結合できる結合部が設けられ、該ケース１０の継ぎ空間の中心位置に結合柱１０１が突設され、該結合柱１０１の裏側に凹溝が設けられ、凹溝の底部、結合柱１０１の対向する両側に円弧形状な開口１０３、１０４が夫々設けられるとともに、二開口１０３、１０４の間に位置決め溝１０２がそれぞれ設けられている。該ケース１１は、継ぎ空間の中心位置に径度が比較的に大きく、ケース１０の結合柱１０１に嵌合できる突柱１１１が設けられ、また、該継ぎ空間の周縁に歯車１３周縁の鋸歯に合わせている凹溝１１２が設けられると共に、該継ぎ空間の裏側に水平継ぎ手１１３が設けられている。
【００１０】
歯車１３周縁が鋸歯状に設けられ、中央には中心孔１３１が設けられ、該中心孔１３１の径度がケース１１の突柱１１１の径度に合わせて設けられ、歯車１３の同一平面の対向する両側に位置決め突柱１３２が夫々設けられている。
【００１１】
ボタン１４が、天井面を有する中空円筒のように設けられ、該筒体の対向する両側に凹溝１４１がそれぞれ設けられ、残りの対向する二つの筒体片の底部外側にフランジ１４２が夫々設けられる。
【００１２】
取付ける際、ばね１２をケース１１の継ぎ空間の突柱１１１に嵌め入り、歯車１３の位置決め柱１３２が上向くように、その中心孔１３１が突柱１１１に位置合わせるとともに、歯車１３の鋸歯周縁がケース１１の継ぎ空間周縁の凹溝１１２に嵌め合い、そして、ケース１０の継ぎ空間がケース１１の継ぎ空間に継ぎ合わせて、ケース１０の結合柱１０１をケース１１の突柱１１１内に挿入し、さらに、結合柱１０１にリベット１０５を貫通してからかしめし、ケース１１、ばね１２、歯車１３及びケース１０を一体に結合し、最後に、ボタン１４の二つの筒体片をケース１０の二切溝１０３、１０４内に置き、筒体片上のフランジ１４２で二切溝１０３、１０４に当接し、ボタン１４が脱出しないようにケース１０の凹溝内に配置することにより、回転軸構造１の組立を完成する。
【００１３】
本考案の回転軸構造１は、ボタン１４を押さない時に、該ばね１２が歯車１３の底面に当接し、天井面の二つの位置決め柱１３２をケース１０の二つの位置決め溝１０２内に置き、該ケース１０の他一端のパイプ接合部とケース１１の他一端のパイプ接合部とが９０度になるように維持する。また、ボタン１４を押すと、二つの筒体片を下げて歯車１３の天井面を推して、歯車１３の天井面の二つの位置決め柱１３２をケース１０の二つの位置決め溝１０２（図３に示すように）から離れ、さらに、二ケース１０、１１が回転できるようにすることにより、二ケース１０、１１の他一端のパイプ接合部の角度を変更させる。
【００１４】
図４を参照する。実際に使用する時は、回転軸構造１がケース１０のパイプ接合部にフラットパイプ４を同時に結合し、ケース１１のパイプ接合部にパイプ２を結合し、該パイプ２の他一端にさらにコナー装置３を接続し、該コナー装置３の他一端が同じくパイプ２を接続し、且つ、ケース１１の水平継ぎ手１１３にパイプ２を接続し、最後に、二つの回転軸構造１が接続する水平状パイプ２を接続することにより、長さが比較的に長い防護さくの取付を完成させる。
【００１５】
該防護さくが介護ベッドの傍側の上方に配置され、防護さくを卸しようとすると、先ず、防護さくの一側のボタン１４を押して、且つ、直立なパイプ２を略搬動し、ケース１１が歯車１３を連動して、位置決め柱１３２が位置決め溝１０２内から離脱させ、この際、使用者が他一側までに回って、防護さくの他一側のボタン１４を押して、直立なパイプ２を下向きに移動させ、防護さくを介護ベッドの傍側の下方に回転できる。
【図面の簡単な説明】
【００１６】
【図１】本考案による実施例の斜視外観図である。
【図２】本考案による実施例の素子分解図である。
【図３】本考案による実施例の組立を示す断面図である。
【図４】本考案による実施例の使用状態を示す図である。
【符号の説明】
【００１７】
１・・・・・・回転軸構造
２・・・・・・パイプ
３・・・・・・コナー装置
４・・・・・・フラットパイプ
１０、１１・・・ケース
１２・・・・・ばね
１３・・・・・歯車
１４・・・・・ボタン
１０１・・・・結合柱
１０２・・・・位置決め溝
１０３、１０４・・・開口
１０５・・・・リベット
１１１・・・・突柱
１１２・・・・凹溝
１１３・・・・水平継ぎ手
１３１・・・・中心孔
１３２・・・・位置決め突柱
１４１・・・・凹溝
１４２・・・・フランジ
【図１】
0003123415.tif 000003
【図２】
0003123415.tif 000004
【図３】
0003123415.tif 000005
【図４】
0003123415.tif 000006